(57)【特許請求の範囲】
【請求項１】
サーバーが、デジタルデータ作成依頼者から発信されるデジタルデータ作成希望地を取得し、
前記サーバーが、取得した作成希望地を公開し、
前記サーバーが、公開した作成希望地に基づいてデジタルデータ作成者から発信される作成受付を取得し、
前記サーバーが、取得した作成受付に基づいて配信先のデジタルデータ作成依頼者を決定し、
前記サーバーが、決定した配信先のデジタルデータ作成依頼者に前記作成受付を送信し、
前記サーバーが、前記作成受付の送信後に当該作成者によって作成されたデジタルデータを前記依頼者に配信するデジタルデータの仲介方法。
【請求項２】
サーバーが、デジタルデータ作成依頼者から発信された、デジタルデータ作成希望地を含む依頼情報を取得し、
前記サーバーが、デジタルデータ作成者から発信された、デジタルデータ作成可能地を含む受付情報を取得し、
前記サーバーが、前記依頼情報と前記受付情報とを比較し、
前記比較の結果、前記デジタルデータ作成希望地を満足する前記デジタルデータ作成可能地があるとき、前記サーバーが、その受付情報を発信した作成者に対してデジタルデータの作成指示を送信し、
前記サーバーが、前記作成指示後に前記作成者によって作成されたデジタルデータを前記依頼者に配信するデジタルデータの仲介方法。
【請求項３】
請求項２に記載のデジタルデータの仲介方法において、
前記サーバーは、前記作成者からの要求に応じて、複数の依頼者からの依頼情報の中から前記受付情報を満たす依頼情報を抽出する。
【請求項４】
請求項２または３に記載のデジタルデータの仲介方法において、
前記サーバーは、前記比較の結果、前記受付情報のデジタルデータ作成可能地が前記デジタルデータの作成希望地に合致するとき、当該作成可能地を発信した作成者に作成指示を送信する。
【請求項５】
サーバーが、依頼者から発信された、撮影希望地を含む依頼情報を取得し、
前記サーバーが、撮影者から発信された、撮影可能地を含む受付情報を取得し、
前記サーバーが、前記依頼情報の撮影希望地と前記受付情報の撮影可能地とに基づいて、前記撮影者の要求を満たす依頼情報を検索し、
前記サーバーが、前記検索の結果に対して前記撮影者からの受付指示を受付け、
前記サーバーが、前記受付指示によって選択された依頼者からの依頼指示を受付け、
前記サーバーが、前記依頼指示を受付けた後に、前記受付指示を送信した撮影者に撮影指示を送信し、
前記サーバーが、前記撮影指示を受けた後に作成された画像データを前記選択された依頼者に配信する画像データの仲介方法。
【請求項６】
請求項５に記載の画像データの仲介方法において、
前記サーバーは、前記検索により得られた複数の依頼情報を前記撮影者の端末へ送信し、
前記サーバーは、前記複数の依頼情報の中から撮影者が選択した少なくとも１人の依頼者に対する受付指示を受付ける。
【請求項７】
請求項５に記載の画像データの仲介方法において、
前記依頼情報には撮影方向および撮影方位に関する条件が含まれる。
【請求項８】
デジタルデータの作成希望地を含めて依頼者から発信される依頼情報を記録する第１の記録装置と、
作成者から送信されるデジタルデータの作成可能地を含む受付情報を記録する第２の記録装置と、
前記依頼情報と前記受付情報とを比較する比較装置と、
前記比較装置による比較の結果、前記作成可能地が前記作成希望地を満たすと、前記作成者に対してデジタルデータの作成指示を送信する送信装置と、
前記作成指示後に前記作成者によって作成されたデジタルデータが前記依頼者へ配信されることを監視する監視装置とを備えるデジタルデータの仲介システム。
【請求項９】
画像データの作成希望地を含む依頼者の依頼情報を発信する依頼端末と、
画像データの作成可能地を含む画像データ作成者の受付情報を発信する受付端末と、
前記受付情報と前記依頼情報とを受信するサーバーとを備え、
前記サーバーは、前記受付情報と前記依頼情報とを比較する比較装置と、前記比較の結果、前記作成可能地が前記作成希望地を満たすと、画像データの作成指示を前記受付端末に送信する送信装置と、前記受付端末からの受付指示を前記依頼端末に転送する一方、前記依頼端末からの依頼指示を前記受付端末に転送する転送装置と、前記依頼端末からの依頼指示、および前記受付端末からの画像データの送信のうち少なくとも一方を監視する監視装置とを含み、
前記受付端末は、前記依頼指示にしたがって作成された画像データを前記サーバーもしくは前記依頼端末に送信する送信装置を含む画像データの仲介システム。
【請求項１０】
画像データの作成希望地を含む依頼者の依頼情報を発信する依頼端末と、
画像データの作成可能地を含む画像データ作成者の受付情報を発信する受付端末と、
前記受付情報と前記依頼情報とを受信するサーバーとを備え、
前記サーバーは、前記受付情報と前記依頼情報とを比較する比較装置と、前記比較の結果、前記作成可能地が前記作成希望地を満たすと、画像データの作成指示を前記受付端末に送信する送信装置と、前記受付端末からの受付指示を前記依頼端末に転送する一方、前記依頼端末からの依頼指示を前記受付端末に転送する転送装置とを含み、
前記受付端末は、前記依頼指示にしたがって作成された画像データを前記サーバーもしくは前記依頼端末に送信する送信装置を含み、
前記受付端末および前記サーバーのいずれか一方に、画像データに付加データを追加するデータ追加装置をさらに有する画像データの仲介システム。
【請求項１１】
デジタルデータの作成希望地を含めて依頼者から発信される依頼情報を受信する第１の受信処理と、
作成者から発信されるデジタルデータの作成可能地を含む受付情報を受信する第２の受信処理と、
前記依頼情報と前記受付情報とを比較する比較処理と、
前記比較処理の結果、前記作成可能地が前記作成希望地を満たす場合に前記作成者に対してデジタルデータの作成指示を発信する第１の発信処理と、
前記作成指示後に前記作成者によって作成されたデジタルデータを前記依頼者へ配信するために必要な情報を前記依頼者に対して発信する第２の発信処理とをコンピュータにて実行するデジタルデータの仲介サービス用プログラム。
【発明の詳細な説明】
本出願は２００１年３月２７日出願の日本国特許出願２００１年第８９７３６号および日本国特許出願２００１年第８９７３７号を基礎とし、それらの内容は引用文としてここに組み込まれる。
技術分野
本発明は、デジタルデータを仲介する仲介方法、提供方法、デジタルデータの仲介システム、デジタルデータの仲介サービス用プログラム、画像データの仲介方法および画像データの仲介システムに関する。
背景技術
（１）希望する場所で撮影した映像を入手するためには、カメラマンに撮影を依頼したり、自分が出かけて撮影する必要がある。希望する場所が遠隔地である場合は、撮影者が現地に移動する時間が必要なため、現在の映像を入手することが困難である。また、撮影を希望する場所の近くに滞在中の撮影者に対して撮影を依頼するにも、その撮影者の行動予定や連絡先を調べるのに時間がかかる。発明者は上記の問題を解決するべく、知人でも友人でもない第三者から撮影依頼を受けたり、第三者に対して撮影を依頼したりするサービスを構築することを見出した。
（２）ある場所に訪れたとき、その場所において別の日や異なる季節に撮影された映像を入手したいときがある。このような場合、たとえば、後日カメラマンに撮影を依頼したり、自分が再び出かけて撮影する必要がある。発明者は上記の問題を解決するべく、知人でも友人でもない第三者によって過去に撮影された映像を仲介するサービスを構築することを見出した。
発明の開示
本発明の目的は、デジタルデータを仲介する仲介方法、提供方法、デジタルデータの仲介システム、デジタルデータの仲介サービス用プログラム、画像データの仲介方法および画像データの仲介システムを提供することにある。
本発明によるデジタルデータの仲介方法では、デジタルデータ作成者から発信される現在位置を取得し、その現在位置を公開し、公開された現在位置に基づいてデジタルデータ作成依頼者から発信される作成依頼を取得し、取得した作成依頼に基づいたデジタルデータ作成者に作成指示を送信し、作成指示後に当該作成者によって作成されたデジタルデータを依頼者に配信する。
本発明によるデジタルデータの仲介方法の他の態様では、デジタルデータ作成者から発信される受付情報を取得し、デジタルデータ依頼者から発信される依頼情報を取得し、受付情報と依頼情報とに基づいて決定された作成者に対してデジタルデータの作成指示を送信し、作成指示後に作成者によって作成されたデジタルデータを依頼者に配信する。
デジタルデータ作成依頼者とデジタルデータ作成者とからそれぞれ発信される依頼条件と受付条件が合致することを判定し、条件が合致する作成者に対してデジタルデータの作成指示を送信し、作成指示後に作成者によって作成されたデジタルデータを依頼者に配信するように構成してもよい。
本発明によるデジタルデータの提供方法は、デジタルデータ作成者の現在位置を取得し、デジタルデータ作成依頼者の要求位置を取得し、取得された現在位置と要求位置とを比較し、要求位置を満たす現在位置のデジタルデータ作成者に作成許可を指示し、指示されたデジタルデータ作成者が作成したデジタルデータを依頼者に提供する。
本発明によるデジタルデータの仲介システムは、デジタルデータの作成者の位置情報を含めて作成者から発信される受付情報を記録する第１の記録装置と、依頼者が希望するデジタルデータの作成条件を含めて依頼者から発信される依頼情報を記録する第２の記録装置と、受付情報と依頼情報とを比較する比較装置と、比較装置による比較の結果、少なくとも位置情報が作成条件を満たすとき、当該位置情報を有する受付情報を発信した作成者に対してデジタルデータの作成指示を送信する送信装置と、作成者によって作成指示後に作成されたデジタルデータが依頼者へ配信されることを監視する監視装置とを備える。
本発明による画像データの仲介システムは、位置情報を発生する位置情報発生装置を含み、画像データ作成者の受付情報を発信する受付端末と、依頼者の依頼情報を発信する依頼端末と、受付情報と依頼情報とを受信するサーバーとを備え、サーバーは、受付情報と依頼情報とを比較する比較装置と、比較の結果を依頼端末に送信する送信装置と、依頼端末からの依頼指示を受付端末に転送する転送装置とを含み、受付端末は、依頼指示にしたがって作成された画像データをサーバーもしくは依頼端末に送信する送信装置を含む。
本発明によるデジタルデータの仲介サービス用プログラムは、デジタルデータの作成者の位置情報を含めて作成者から発信される受付情報を受発信する第１の受発信処理と、依頼者が希望するデジタルデータの作成条件を含めて依頼者から発信される依頼情報を受発信する第２の受発信処理と、受付情報と依頼情報とを比較する比較処理と、比較処理の結果、少なくとも位置情報が作成条件を満たす場合に作成者に対してデジタルデータの作成指示を受発信する第３の受発信処理と、作成指示後に作成者によって作成されたデジタルデータを依頼者へ配信するために必要な情報を受発信する第４の受発信処理とを実行することができる。
本発明によるデジタルデータの仲介方法では、デジタルデータ作成依頼者から発信されるデジタルデータ作成希望地を取得し、その作成希望地を公開し、公開された作成希望地に基づいてデジタルデータ作成者から発信される作成受付を取得し、取得した作成受付に基づいて決定されるデジタルデータ作成依頼者に作成受付を送信し、作成受付後に当該作成者によって作成されたデジタルデータを依頼者に配信する。
本発明によるデジタルデータの仲介方法の他の態様では、依頼者から発信された、デジタルデータ作成希望地を含む依頼情報を取得し、デジタルデータ作成者から発信された、デジタルデータ作成可能地を含む受付情報を取得し、依頼情報と受付情報とを比較し、比較の結果、デジタルデータ作成希望地を満足するデジタルデータ作成可能地があるとき、その受付情報を発信した作成者に対してデジタルデータの作成指示を送信し、作成指示後に作成者によって作成されたデジタルデータを依頼者に配信する。
本発明による画像データの仲介方法では、依頼者から発信された、撮影希望地を含む依頼情報を取得し、撮影者から発信された、撮影可能地を含む受付情報を取得し、依頼情報の撮影希望地と受付情報の撮影可能地とに基づいて、撮影者の要求を満たす依頼情報を検索し、検索の結果に対して撮影者からの受付指示を受付け、受付指示によって選択された依頼者からの依頼指示を受付け、依頼指示を受付けた後に、受付指示を送信した撮影者に撮影指示を送信し、撮影指示を受けた後に作成された画像データを選択された依頼者に配信する。
本発明のデジタルデータの提供方法では、複数のデジタルデータ作成依頼者の要求位置の中から少なくとも１つの要求位置を選択し、選択された要求位置で作成されたデジタルデータを依頼者が入手するために必要な情報を依頼者へ送信する。
本発明によるデジタルデータの仲介システムは、希望するデジタルデータの作成条件を含めて依頼者から発信される依頼情報を記録する第１の記録装置と、作成者から送信される受付情報を記録する第２の記録装置と、依頼情報と受付情報とを比較する比較装置と、比較装置による比較の結果、作成条件が受付情報を満たすと、作成者に対してデジタルデータの作成指示を送信する送信装置と、作成指示後に作成者によって作成されたデジタルデータが依頼者へ配信されることを監視する監視装置とを備える。
本発明による画像データの仲介システムは、依頼者の依頼情報を発信する依頼端末と、画像データ作成者の受付情報を発信する受付端末と、受付情報と依頼情報とを受信するサーバーとを備え、サーバーは、受付情報と依頼情報とを比較する比較装置と、比較の結果を受付端末に送信する送信装置と、受付端末からの受付指示を依頼端末に転送する一方、依頼端末からの依頼指示を受付端末に転送する転送装置とを含み、受付端末は、依頼指示にしたがって作成された画像データをサーバーもしくは依頼端末に送信する送信装置を含む。
本発明によるデジタルデータの仲介サービス用プログラムは、希望するデジタルデータの作成条件を含めて依頼者から発信される依頼情報を受発信する第１の受発信処理と、作成者から発信される受付情報を受発信する第２の受発信処理と、依頼情報と受付情報とを比較する比較処理と、比較処理の結果、作成条件が受付情報を満たす場合に作成者に対してデジタルデータの作成指示を受発信する第３の受発信処理と、作成指示後に作成者によって作成されたデジタルデータを、依頼者へ配信するために必要な情報を受発信する第４の受発信処理とを実行する。
このような本発明によれば、デジタルデータ作成者の位置情報を含む受付情報と、デジタルデータの作成条件を含む依頼者の依頼情報とを比較し、少なくとも位置情報が作成条件を満たすと作成者にデジタルデータの作成を指示し、作成指示後に作成されたデジタルデータを依頼者に配信する。したがって、知人でも友人でもない第三者に作成依頼を行ったり、第三者から作成依頼を受けたりするサービスを構築することができる。
また、受付情報に含まれる作成者の位置情報を更新するようにしたので、作成者が移動する場合でも、新しい位置情報にしたがってデータの作成依頼をすることが可能になる。
本発明によるデジタルデータの仲介方法では、デジタルデータ作成者から発信されるデジタルデータおよびその作成地を取得して登録し、そのデジタルデータを作成地とともに公開し、公開された作成地に基づいてデジタルデータ取得依頼者から発信されるデジタルデータ取得依頼を取得し、取得した取得依頼に基づいて決定されるデジタルデータを依頼者に配信する。
本発明によるデジタルデータの仲介方法の他の態様では、デジタルデータ作成者から発信される当該デジタルデータの作成地に関する作成地情報を取得し、取得依頼者から発信された、依頼者の現在位置に関する現在地情報を含むデジタルデータ取得依頼情報を取得し、作成地情報と現在地情報とを比較し、比較の結果、現在地情報を満たす作成地情報のデジタルデータを依頼者へ配信する。
本発明による画像データの仲介方法では、画像データの撮影地に関する撮影地情報を取得し、取得依頼者の現在地に関する現在地情報を取得し、少なくとも現在地情報と撮影地情報とに基づいて、依頼者の要求を満たす撮影地情報を検索し、検索の結果に対して依頼者からの依頼指示を受付け、依頼指示を受付けた後に、選択された撮影地情報の画像データを依頼者に配信する。
本発明によるデジタルデータの仲介システムは、デジタルデータ作成者から発信される当該デジタルデータの作成地に関する作成地情報を記録する第１の記録装置と、依頼者の現在地に関する現在地情報を含めて依頼者から発信される依頼情報を記録する第２の記録装置と、作成地情報と現在地情報とを比較する比較装置と、比較装置による比較の結果、少なくとも現在地情報を満足する作成地情報のデジタルデータが依頼者へ配信されることを監視する監視装置とを備える。
本発明による画像データの仲介システムは、画像データ購入依頼者の現在位置に関する情報を発生する位置情報発生装置を含み、依頼者の依頼情報を発信する依頼端末と、画像データの撮影地を記録するとともに、依頼情報を受信するサーバーとを備え、サーバーは、撮影地と現在位置とを比較する比較装置と、比較の結果を依頼端末に送信する第１の送信装置と、依頼端末からの依頼指示による画像データを依頼端末に送信する第２の送信装置とを含む。
本発明によるデジタルデータの仲介サービス用プログラムは、デジタルデータ作成者から発信される当該デジタルデータの作成地情報を受発信する第１の受発信処理と、依頼者の現在地情報を含めて依頼者から発信される依頼情報を受発信する第２の受発信処理と、作成地情報と現在地情報とを比較する比較処理と、比較処理の結果、少なくとも作成地情報が現在地を満たすデジタルデータを依頼者へ配信するために必要な情報を受発信する第３の受発信処理とを実行する
さらに、本発明によれば、デジタルデータの作成地情報とデジタルデータの作成依頼者の現在地情報とを比較し、少なくとも作成地情報と現在地情報とが共通の位置に関する情報であるとき、当該作成地情報に関するデジタルデータを依頼者に配信する。したがって、知人でも友人でもない第三者によって過去に作成されたデータを仲介するサービスを構築することができる。
発明を実施するための最良の形態
【発明の実施の形態】
以下、図面を参照して本発明の実施の形態を説明する。
−第一の実施の形態−
第一の実施の形態による映像仲介サービスは、撮影依頼者からの撮影依頼に応じて撮影者がリアルタイムに撮影を行い、撮影された映像がすみやかに依頼者に提供される速報型映像仲介サービスである。ここでいう映像とは、映像素材情報と映像付加情報とを指す。映像素材情報は、静止画像および動画像のうち少なくとも１つを含む情報である。画像には音声の情報を含めてもよい。静止画像には、３Ｄ画像や３６０度パノラマワールド画像なども含まれる。
映像付加情報は、撮影位置情報と、撮影者情報と、撮影情報と、端末固有情報と、説明情報と、公開情報と、報酬情報とを含む。撮影位置情報には、経度、緯度、高度、方位（撮影方向）、および地図（撮影位置を示す地図）あるいは撮影位置の代表的な映像が含まれる。撮影者情報には、後述する個人情報が含まれる。撮影情報には、映像を撮影した日時、撮影時の露出時間、撮影時のシャッタースピードおよび絞り値などが含まれる。また、映像素材情報に動画像または音声が含まれる場合は、映像素材情報の記録時間も撮影情報に含まれる。端末固有情報には、撮影機器の端末名、および撮影機器の端末識別子が含まれる。説明情報には、タイトル、キャプション、キーワード、および撮影場所（国名、都道府県名、市町村名など）などが含まれる。公開情報には、映像の公開先の範囲（たとえば、個人のみ、グループ内のみ、無制限）、および映像の公開時間（たとえば、日時、期間、無制限など）が含まれる。報酬情報には、金額（無償の場合の情報を含む）、および支払い方法（決済手段）が含まれる。
図１は、速報型映像仲介サービスの概要を説明する図である。図１において、撮影依頼者１と撮影者２との間にサービス事業者３が介在する。図２は、図１のサービスを提供するシステムの全体構成図である。図２において、撮影依頼者１は、たとえば、通信網４に接続可能なパソコンなどで構成される端末を有する。ここでは、撮影依頼者１の端末を撮影者２の端末と区別するために便宜上ホーム端末と呼ぶことにするが、撮影者２と同様のモバイル端末であってもよい。撮影依頼者１は、ホーム端末を操作して通信網４に接続し、通信網４を介してサービス事業者３にアクセスする。撮影者２は、電子カメラ２１と、携帯電話機２２と、ＧＰＳ（Ｇｌｏｂａｌ  Ｐｏｓｉｔｉｏｎｉｎｇ  Ｓｙｓｔｅｍ）装置２３とを備える端末を有する。撮影者２は、携帯電話機２２により通信網４に接続し、通信網４を介してサービス事業者３にアクセスする。サービス事業者３は、たとえば、通信網４に接続されるサーバーを有する。サービス事業者３は、撮影依頼者１と撮影者２との間で情報を仲介する。
図３は、サービス事業者が有するサーバーの構成を説明する図である。図３において、サーバーは通信処理部３１と、認証処理部３２と、映像登録処理部３３と、撮影受付情報／撮影依頼情報処理部３４と、映像検索処理部３５と、映像提供処理部３６と、個人、グループ情報管理処理部３７と、映像記録装置３８と、映像管理ＤＢ（データベース）３９と、撮影受付、撮影依頼管理ＤＢ４０と、地図情報管理ＤＢ４１と、映像提供管理ＤＢ４２と、個人情報管理ＤＢ／グループ管理ＤＢ４３とを有する。
通信処理部３１は、サーバーと通信網４（図２）との間で所定のプロトコルによる通信処理を行う。認証処理部３２は、通信網４を介してサーバーにアクセスしてきたサービス利用者が、あらかじめ登録されている本人であるか否かを判定する。ここで、サービス利用者は撮影依頼者１および撮影者２の両方である。映像登録処理部３３は、撮影者２によって撮影され、撮影者２から送られた映像を登録する。映像の登録は、映像データファイルの名称、および当該映像データファイルをどこに記録したかを示す情報を映像管理ＤＢ３９に記録することである。映像管理ＤＢ３９に登録された映像データは、映像記録装置３８に記録される。
撮影受付情報／撮影依頼情報処理部３４は、撮影者２から送られた撮影受付情報、および撮影依頼者１から送られた撮影依頼情報を撮影受付、撮影依頼管理ＤＢ４０に記録する。記録された撮影受付情報は、撮影依頼者１が閲覧できるように公開される。映像検索処理部３５は、サーバー内に記録されている映像の検索処理を行う。映像提供処理部３６は、サーバー内に記録されている映像を撮影依頼者１がダウンロードできる状態、すなわち、撮影依頼者１に提供できるようにする。撮影依頼者に提供する映像の情報は、映像提供管理ＤＢ４２に記録される。個人、グループ情報管理処理部３７は、サービス利用者に関する情報の登録および削除を行う。サービス利用者に関する情報は、個人情報管理ＤＢ／グループ管理ＤＢ４３に記録される。地図情報管理ＤＢ４１は、地図情報を記録する。
図４は、撮影者の端末の構成を説明する図である。図４において、端末は通信処理部４１と、映像記録処理部４２と、映像管理ＤＢ処理部４３と、映像表示処理部４４と、位置情報検出処理部４５と、記録装置４６と、映像管理ＤＢ４７とを有する。このうち、通信処理部４１が図２の携帯電話機２２に対応し、位置情報検出処理部４５が図２のＧＰＳ装置２３に対応する。映像記録処理部４２、映像管理ＤＢ処理部４３、映像表示処理部４４、記録装置４６、および映像管理ＤＢ４７は、図２の電子カメラ２１に対応する。
通信処理部４１は、端末と通信網４（図２）との間で所定のプロトコルによる通信処理を行う。映像記録処理部４２は、撮影者２によって撮影された映像を記録装置４６に記録する。映像管理ＤＢ処理部４３は、記録装置４６に記録した映像データファイルの名称、および当該映像データファイルの記録場所を示す情報を映像管理ＤＢ４７に記録する。映像表示処理部４４は、不図示のディスプレイに映像を表示させる。位置情報検出処理部４５は、端末の位置を検出して位置情報を生成する。
以上のシステムで行われる速報型映像仲介サービスの手順は、
▲１▼撮影者２が現在いる位置の情報を公開する。
▲２▼撮影依頼者１が撮影者２を決定する。
▲３▼撮影依頼者１および撮影者２間で契約する。
▲４▼撮影者２が撮影する。
▲５▼撮影した映像を撮影者２から撮影依頼者１に受け渡す。
により行われる。なお、サービスに先立ち、サービス利用者はサービス利用準備としてユーザ登録を行うものとする。ユーザ登録は、サービス事業者のサーバーに個人認証情報および個人情報を登録するものである。個人認証情報は、ユーザ名、パスワード、および所属グループ名を含む。個人情報は、ユーザ名、メールアドレス、電話番号、住所、氏名、年齢、性別、趣味、嗜好、自己の顔写真（映像）を含む。ユーザ登録は、撮影依頼者および撮影者がそれぞれ、ホーム端末および端末からサーバーに対して実施する。サーバーは、個人認証情報によってサービス利用者を特定する。
上述した所属グループ名は、サーバーによるグループ管理に使用される。所属グループの登録／削除は、サービス利用者が端末、あるいはホーム端末からサーバーに対して実施する。また、所属グループへの入会／退会についても、サービス利用者が端末、あるいはホーム端末からサーバーに対して実施する。登録された所属グループは、たとえば、サーバーが情報（撮影受付情報／撮影依頼情報）を公開する場合の公開範囲として利用される。サービス利用者は、複数のグループに重複して所属してよい。
以下、図１を参照して速報型映像仲介サービスの具体的手順について説明する。図１のステップＳ１において、撮影者２が撮影受付情報をサービス事業者３のサーバーに登録する。登録は、撮影者２が端末からサーバーに対して実施する。撮影受付情報は、撮影者２が撮影依頼者１に開示する情報であり、個人情報と、撮影条件情報と、公開情報と、報酬情報と、撮影履歴情報とを含む。個人情報は、上述した個人ユーザ登録時の個人情報と同じである。撮影条件情報には、撮影依頼の受付け有効期限（日時、期間）、および撮影位置（撮影可能エリア）が含まれる。撮影位置の情報として、ＧＰＳ装置２３によって得られる位置情報が用いられる。公開情報および報酬情報は、上述した映像付加情報に含まれる情報と同じである。撮影履歴情報には、過去の撮影依頼の受付実績、およびその依頼者による撮影映像に対する評価が含まれる。
サーバーに登録された撮影受付情報は、サーバーがその公開情報にしたがって公開する。公開先の範囲は、公開情報の中の公開先の範囲によって制限される。公開後の撮影受付情報は、撮影条件情報に含まれる撮影依頼の受付有効期限が満了すると、サーバーにより削除あるいは非公開にされる。撮影者２は、端末からサーバーに対して登録した撮影受付情報の内容を変更することができる。また、端末のＧＰＳ装置２３は、少なくとも撮影受付情報が公開されている間は常に位置情報を生成するように構成されている。このため、撮影者２が移動すると、端末からサーバーへ位置情報が伝えられる。これにより、サーバーが管理する撮影受付情報のうち、撮影条件情報に含まれる撮影位置の情報が、所定の更新タイミングで更新される。
図１のステップＳ２において、撮影依頼者１はサービス事業者３のサーバーにアクセスし、撮影依頼情報を登録する。ステップＳ３において、撮影依頼者１はサービス事業者３のサーバーにアクセスして撮影者検索を行う。サーバーは、登録されている撮影受付情報の中から撮影依頼情報に含まれる条件を満足する撮影受付情報を検索し、該当する撮影者一覧をホーム端末に送る。撮影依頼者１はホーム端末に送られた撮影者一覧によって撮影者の検索を行う。
図５は、撮影依頼者１が撮影者２を検索する際に、ホーム端末のディスプレイに表示される検索画面例を示す図である。検索は、地図から検索する方法と、地名から検索する方法と、属性から検索する方法と、撮影者の人気ランキングから検索する方法とがある。
−地図から検索する方法−
地図から検索する方法を選んだ場合は、広域地図の画面５１が表示される。撮影依頼者１が不図示のポインティングデバイスを用いて画面５１上で撮影を希望する位置５１ａを指定すると、拡大された地図の画面５２が表示される。このとき、サーバーに登録されている撮影者２が存在するエリア、および当該エリア内の撮影者２の分布が表示される。撮影者２が存在する位置は、上述した撮影受付情報に含まれるＧＰＳ装置２３による位置情報が使用される。
撮影依頼者１が、再びポインティングデバイスを用いて画面５２上で撮影を希望するエリア５２ａを指定すると、さらに拡大された画面５３が表示される。画面５２の場合と同様に、サーバーに登録されている撮影者２が存在するエリア、および当該エリア内の撮影者２の数が表示される。画面５３の例では、競技場のスタンド内でどのエリアに何人の撮影者２が分布しているかがわかる。撮影依頼者１が、ポインティングデバイスによって画面５３上で撮影を希望する位置５３ａを指定すると、撮影者２の個々の分布を表示する画面５４が表示される。画面５４には、撮影者２が１人ずつ表示され、撮影の受付け可能（ＯＫ）か、既に撮影中であるなどの理由で受付け不可（ＮＧ）であるかが表示される。撮影依頼者１がポインティングデバイスで希望する撮影者２を示すアイコン５４ａを指定すると、この撮影者２を紹介する画面５５が表示される。画面５５は、当該撮影者２による撮影受付情報とともに写真が表示される。表示される写真は、当該撮影者２の顔写真、あるいは当該撮影者２がいる位置周辺の代表的な写真であり、ホーム端末のキー操作などによって写真映像の表示が切換えられる。このように、撮影依頼者１は、映像の撮影を依頼する撮影者２を探索して決めることができる。
−地名から検索する方法−
地名から検索する方法を選んだ場合は、入力画面５６が表示される。撮影依頼者１は、画面５６上で不図示のキーボードを用いて、撮影を希望する地名に関する情報を入力する。入力する情報は、住所（郵便番号）、場所名（施設名）、電話番号である。これらは、全て入力してもよいし、わかるものだけでもよい。地名情報を入力後に画面５６上の検索ボタンをクリックすると、地名から検索されたエリアの画面、ここでは、上述した競技場の画面５３が表示される。上述したように、サーバーに登録されている撮影者２のうち、エリア内にいる撮影者２が検索され、当該エリア内の撮影者２の分布が表示される。
撮影依頼者１が、ポインティングデバイスによって画面５３上で撮影を希望する位置５３ａを指定すると、画面５７が表示される。画面５７では、撮影の受付けが可能（ＯＫ）であって、位置５３ａで示されるエリア内にいる全ての撮影者２が紹介される。画面５７は、当該撮影者２による撮影受付情報とともに写真を表示する。この写真は、当該撮影者２の顔写真、あるいは当該撮影者２がいる位置周辺の代表的な写真であり、ホーム端末のキー操作などによってこれら写真映像の表示が切換えられる。画面５７の下部には矢印ボタン５７ａ、５７ｂが表示される。撮影依頼者１が矢印ボタン５７ａ、５７ｂをクリックすると、指定されているエリア内の別の撮影者２を紹介する。矢印ボタン５７ｂをクリックすると次の順位の撮影者２が紹介され、矢印ボタン５７ａをクリックすると、前の順位の撮影者２の紹介に戻る。なお、撮影者２の紹介順位は、撮影依頼者１がいる位置から近い順、報酬金額が安価な順、撮影実績が多い順など、ホーム端末のキー操作によって撮影依頼者１が選ぶことができる。
−属性から検索する方法−
属性から検索する方法を選んだ場合は、入力画面５８が表示される。撮影依頼者１は、画面５８上で不図示のキーボードを用いて、撮影を希望する撮影者２に関する情報を入力する。入力する情報は、撮影者名、年代、性別、グループ名、趣味などである。撮影者２に関する情報は、名前のように撮影者２を特定する情報だけを入力してもよいし、撮影者２を絞り込むために年代や性別だけを入力してもよい。撮影者２の情報を入力後に画面５８上の検索ボタンをクリックすると、入力された条件にヒットする撮影者２が検索される。検索の結果、撮影の受付けが可能（ＯＫ）であって、位置５３ａで示されるエリア内にいる全ての撮影者２を紹介する画面５７が表示される。なお、紹介される撮影者２は、撮影依頼者１が撮影を希望する位置周辺にいる撮影者２である。
−撮影者の人気ランキングから検索する方法−
撮影者の人気ランキングから検索する方法を選んだ場合は、画面５９が表示される。画面５９には、過去の撮影依頼件数が多い撮影者名が順番に表示される。もちろん、撮影依頼者１が撮影を希望する位置周辺にいる撮影者２である。撮影依頼者１が不図示のポインティングデバイスを用いて画面を切換えると、人気ランキングに登場する撮影者２を紹介する画面５７が表示される。人気ランキングは、サーバーに登録されている撮影受付情報に含まれる撮影履歴情報に基づいて、サーバー側で順位づけが行われる。
撮影者２の決定は、撮影依頼者１がホーム端末を操作して希望する撮影者２を決定する手動決定と、サーバー側で条件を満たす撮影者２を自動的に決定する自動決定とがある。どちらの決定処理を行うかは、ホーム端末側で選ぶことができる。手動決定する場合、撮影依頼者１は、上述したいずれかの検索方法によって撮影者２を検索し、撮影依頼する撮影者２を決定する。自動決定の場合、決定された撮影者２を紹介する画面５５が、ホーム端末のディスプレイに表示される。画面５５は、上述したように、当該撮影者２による撮影受付情報とともに写真が表示される。なお、撮影者２を複数選んで決定してもよい。
自動決定は、たとえば、画像データ作成依頼者１が依頼情報として入力した撮影地に現在いる撮影者２を検索することで可能である。同じ地域に複数の撮影者２がいる場合、後述する画面から依頼者１が選択すればよい。
決定された撮影者２への通知は、次のいずれかの方法により実施される。どの方法によるかは、たとえば、撮影者２がサービス事業者３に登録する撮影受付情報に含めておく。
（１）サービス事業者３が撮影者２にメール通知（ｅ−ｍａｉｌ，ポケベル等）する。
（２）サービス事業者３が撮影依頼者１と撮影者２との間の電話を繋げる。
（３）サービス事業者３が撮影者２へチャット（文字によるリアルタイム会話）により通知する。撮影者２は、サービス事業者３から通知を受けると、次のいずれかの方法により応答する。
（１）撮影者２がサービス事業者３にメールを返信（ｅ−ｍａｉｌ，ポケベル等）する。
（２）撮影者２がサービス事業者３によって繋げられた電話で応答する。
（３）撮影者２がサービス事業者３にチャットにより応答する。
サービス事業者３から撮影者２に送られた通知に対し、撮影者２が応答することにより、撮影依頼者１および撮影者２間の契約が行われる。なお、上記（１）〜（３）による契約プロセスを省略するようにしてもよい。
撮影依頼者１がサービス事業者３のサーバーに登録する撮影依頼情報は、撮影依頼者１が撮影者２に開示する情報であり、個人情報と、撮影条件情報と、公開情報と、報酬情報と、撮影意図情報とを含む。個人情報は、上述した個人ユーザ登録時の個人情報と同じである。撮影条件情報には、撮影依頼の有効期限（日時、期間）、および撮影位置（撮影依頼エリア）が含まれる。公開情報および報酬情報は、上述した映像付加情報に含まれる情報と同じである。撮影意図情報には、被写体、撮影アングル（撮影方向）、構図、撮影量（枚数、時間など）、連写の有無などが含まれる。撮影方位を含めてもよい。
サーバーに登録された撮影依頼情報は、サーバーがその公開情報にしたがって公開する。公開先の範囲は、公開情報の中の公開先の範囲によって制限される。公開後の撮影依頼情報は、撮影条件情報に含まれる撮影依頼の有効期限が満了すると、サーバーにより削除あるいは非公開にされる。撮影依頼者１は、登録した撮影依頼情報の内容を変更することができる。
図１のステップＳ４において、上述のように決定された撮影者２が撮影依頼情報にしたがって撮影を行う。撮影者２は、端末からサービス事業者３のサーバーにアクセスして撮影依頼者１による撮影依頼情報を確認する。撮影依頼者１は、撮影者２に対して試し撮り（プレビュー映像）を要求することができる。一方、撮影者２は、撮影依頼者１に対して試し撮り映像（プレビュー映像）を送ることができる。撮影意図は、撮影依頼情報により伝えられる他、撮影者２と撮影依頼者１との間で電話によって言葉で伝えてもよい。プレビュー映像を見て撮影意図を伝えると、たとえば、「もっと右」というように、より具体的な撮影指示をすることができる。なお、上記プレビュー映像は、リアルタイム映像（動画）でもよい。
電子カメラ２１で撮影するシャッタータイミングは、撮影者２がレリーズ操作を行う他、撮影依頼者１がホーム端末から通信網４を介して電子カメラ２１に対するシャッター制御信号を送ってもよい。
図１のステップＳ５において、撮影者２は、端末からサービス事業者３のサーバーにアクセスして撮影した映像を登録する。このとき、映像データはサーバーに記録する。サービス事業者３は、撮影依頼情報に含まれる条件を満たす映像が登録されたことを知らせる通知と合わせて、当該映像データが格納されたＵＲＬ（Ｕｎｉｆｏｒｍ  Ｒｅｓｏｕｒｃｅ  Ｌｏｃａｔｏｒ）を撮影依頼者１に通知する。通知の方法は、ｅ−ｍａｉｌ、ポケベル、チャット、音声通話のいずれかの方法による。どの方法を用いて通知するかは、たとえば、撮影依頼者１がサービス事業者３に登録する撮影依頼情報に含めておく。ステップＳ６において、撮影依頼者１は、通知されたＵＲＬで示される格納場所（サービス事業者３側）から撮影依頼情報の条件を満足する映像をダウンロードする。これにより、撮影依頼者１は、依頼した映像を受け取ることができる。
撮影者２が端末からサービス事業者３のサーバーにアクセスして撮影した映像を登録するとき、映像データをサーバーに記録しないでもよい。この場合には、映像データは撮影者２の端末に記録されている。サービス事業者３は、撮影依頼情報の条件を満たす映像が登録されたことを知らせる通知と合わせて、当該映像データが格納されている撮影者端末のＵＲＬを撮影依頼者１に通知する。ステップＳ６ａにおいて、撮影依頼者１は、通知されたＵＲＬで示される格納場所（撮影者２の端末）から撮影依頼情報の条件を満たす映像をダウンロードする。これにより、撮影依頼者１は、依頼した映像を受け取ることができる。
撮影者２が撮影依頼情報の条件を満たす映像を撮影依頼者１に直接送信してもよい。この場合には、ステップＳ６ｂにおいて、撮影者２が端末から撮影依頼者１のホーム端末に直接映像を送る。これにより、撮影依頼者１は、依頼した映像を受け取ることができる。なお、撮影者２が端末から撮影依頼者１のホーム端末に直接映像を送る方法は、たとえば、Ｅ−ｍａｉｌの添付ファイル、ＦＴＰ（Ｆｉｌｅ  Ｔｒａｎｓｆｅｒ  Ｐｒｏｔｏｃｏｌ）などである。
サーバーが公開する報酬情報について説明する。撮影依頼者１および撮影者２は、有料施設において撮影を行う場合に施設利用料を負担する。サーバーは、撮影依頼者１が登録した報酬情報に、施設利用料を上乗せして撮影者２に公開する。サーバーはさらに、撮影者２が登録した報酬情報に施設使用料を上乗せして撮影依頼者１に公開する。このように、撮影が有料施設によって行われる場合に、施設利用料がサービス利用者によって負担される。
以上説明した第一の実施の形態によれば、次の作用効果が得られる。
（１）撮影者２は、端末からサービス事業者３のサーバーにアクセスして撮影受付情報を公開し、撮影依頼者１は、ホーム端末からサービス事業者３のサーバーにアクセスして撮影依頼情報を公開する。したがって、撮影者２は、自分がいる場所で撮影依頼を受けてもいいときに、友人や知人でない第三者に対して広く撮影依頼者１を募ることができる。一方、撮影依頼者１は、映像が欲しいときにすぐに撮影依頼できる上に、希望撮影地が撮影依頼者１から離れた遠隔地であっても、その場所の現在の映像を入手することが可能になる。
（２）撮影依頼者１は、ホーム端末を操作し、公開された撮影者２による撮影受付情報に基づいて、自分が希望する映像の撮影を依頼する撮影者２を選ぶことができる。撮影依頼者１は、撮影者２の決定に際して、ホーム端末から撮影者２を検索する。すなわち、地図から検索、地名から検索、属性から検索、人気ランキングから検索等のいずれかの方法で検索することにより、希望する映像に最適な撮影者２を選ぶことができる。
（３）上記（２）の地図から検索、および地名から検索では、撮影依頼者１のホーム端末の検索画面において、撮影者２の分布が地図上にマッピング表示されるので、撮影者２の位置がわかりやすい。撮影者２の位置は、撮影者２が有する端末のＧＰＳ装置２３によって得られる位置情報が用いられるので、撮影者２が移動すると表示位置が更新される。この結果、常に最新の位置情報を用いて撮影者２の検索を行うことができる。
撮影者２は、複数の撮影依頼者１から撮影依頼を受けてもよい。この場合には、撮影受付情報を登録する際に、自分が撮影中であっても、撮影の受付けが可能（ＯＫ）とする。これにより、同時に複数の撮影依頼者１から撮影依頼を受けることができる。
第一の実施の形態では、撮影依頼者１は、代行撮影依頼者であってもよい。つまり、撮影者２によって撮影された映像を、撮影依頼者１と異なる第三者に送ることができる。この場合には、撮影依頼情報の条件を満足する映像が登録されたこと、および当該映像データが格納されたＵＲＬが、サービス事業者３から撮影依頼者１に通知されると、撮影依頼者１は、第三者である真の依頼者に通知内容を伝える。これにより、真の依頼者は、当該映像をＵＲＬから受け取ることができる。この結果、撮影依頼に不慣れな人に代わって、習熟した人が撮影依頼を行うことが可能になる。また、映像を第三者にプレゼントする場合に利用できる。
上述した説明では、撮影受付情報、および撮影依頼情報は、公開情報に含まれる公開先の範囲にしたがって全ての項目が公開される。この代わりに、撮影者２、および撮影依頼者１の意図により、たとえば、個人情報について公開しないというように、項目ごとに公開の制限を与えるようにしてもよい。
以上説明した速報型映像仲介サービスは、フリーカメラマンや素人に対してスクープ映像を求める場合、自分が過去に訪れた場所の現在の映像を求める場合、自分がこれから訪れようとする場所の現在の映像を求める場合、自分が出かけられない場所の現在の映像を求める場合などに利用することができる。
撮影者２が携帯する端末として、携帯電話機２２、電子カメラ２１、およびＧＰＳ装置２３の３つの機器により構成される例を説明したが、これらの各機器が有する機能を統合してもよい。たとえば、電子カメラ２３に携帯電話機２２が有する通信機能と、ＧＰＳ装置２３が有する位置情報検出機能とを持たせ、撮影者２が電子カメラ２３のみを端末として携帯する。
上述した図５の説明において、検索画面の切替えを次のように行ってもよい。
−地図から検索する方法の場合−
画面５１が表示されると、画面５３を経由して画面５５が表示されるように説明したが、画面５５の代わりに画面５７が表示されるようにしてもよい。また、画面５１が表示されると、画面５３を経由しないで画面５５を表示する、あるいは、画面５１が表示されると、画面５３を経由しないで画面５７を表示するようにしてもよい。
−地名から検索する方法の場合−
画面５６が表示されると、画面５３を経由して画面５７が表示されるように説明したが、画面５７の代わりに画面５５が表示されるようにしてもよい。また、画面５６が表示されると、画面５３を経由しないで画面５５を表示する、あるいは、画面５６が表示されると、画面５３を経由しないで画面５７を表示するようにしてもよい。
−属性から検索する方法の場合−
画面５８が表示されると、次に画面５７が表示されるように説明したが、画面５７の代わりに画面５５が表示されるようにしてもよい。また、画面５８が表示されると、画面５３を経由して画面５５を表示する、あるいは、画面５８が表示されると、画面５３を経由して画面５７を表示するようにしてもよい。
−撮影者の人気ランキングから検索する方法の場合−
画面５９が表示されると、次に画面５７が表示されるように説明したが、画面５７の代わりに画面５５が表示されるようにしてもよい。また、画面５９が表示されると、画面５３を経由して画面５５を表示する、あるいは、画面５９が表示されると、画面５３を経由して画面５７を表示するようにしてもよい。
第一の実施の形態による映像仲介サービスでは、撮影依頼者１に提供される映像に広告を付与することもできる。この場合、映像仲介サービスの利用料の一部をスポンサーが負担する。映像に広告を付与するタイミングは次のように行う。上述したステップＳ６によって撮影依頼者１が映像を受け取る場合は、サービス事業者３が映像に広告を付与する。また、上述したステップＳ６ａおよびステップＳ６ｂによって撮影依頼者１が映像を受け取る場合は、撮影者２が映像に広告を付与する。付与する広告は、予めサービス事業者３から受け取っておいた広告を付与してもよいし、撮影者２自身の広告を付与してもよい。サービス事業者３が映像データに広告を追加する場合は、サーバーが広告を追加する。撮影者２が映像データに広告を追加する場合は、端末の電子カメラ２１が広告を追加する。
広告のスポンサーが多数ある場合、サービス事業者３は、撮影依頼者１によって登録されている個人情報を用いて映像に付与する広告を選択する。たとえば、撮影依頼者１がクルマに興味を有する場合に、この撮影依頼者１に提供される映像に自動車メーカの広告を付与する。この他、当該撮影依頼者１が映像仲介サービスを利用する毎に広告を付与し、さらには利用回数によって付与する広告のサイズや内容などを変えてもよい。
映像に付与する広告は、映像そのものに広告を重ねて付与してもよいし、映像と広告とを分け、それぞれ別のデータとして付与してもよい。いずれの形態で広告を付与するかは、撮影依頼者１が登録する撮影依頼情報の中で指定することができる。また、撮影依頼者１が広告の付与を希望しない場合にも、その旨を撮影依頼者１が登録する撮影依頼情報の中で指定することができる。広告を希望しない場合は、映像仲介サービスの利用料を撮影依頼者１が全額負担する。
−第二の実施の形態−
第二の実施の形態による映像仲介サービスは、撮影依頼者があらかじめ撮影依頼をしておき、撮影者が撮影依頼に応じて撮影を行い、撮影された映像が依頼者に提供される予約型映像仲介サービスである。図６は、予約型映像仲介サービスの概要を説明する図である。図６において、撮影依頼者１と撮影者２との間にサービス事業者３が介在する。図６のサービスを提供するシステムの全体構成図は、上述した図２と同じである。サービス事業者３は、撮影依頼者１と撮影者２との間で情報を仲介する。
予約型映像仲介サービスの流れは、
▲１▼撮影依頼者１が撮影依頼ポイントの情報を公開する。
▲２▼撮影者２が撮影依頼者１を決定する。
▲３▼撮影者２および撮影依頼者１間で契約する。
▲４▼撮影者２が撮影する。
▲５▼撮影した映像を撮影者２から撮影依頼者１に受け渡す。
により行われる。なお、第一の実施の形態と同様に、サービスに先立ち、サービス利用者はサービス利用準備としてユーザ登録を行うものとする。
以下、図６を参照して予約型映像仲介サービスの具体的手順について説明する。図６のステップＳ１１において、撮影依頼者１が撮影依頼情報をサービス事業者３のサーバーに登録する。登録は、撮影依頼者１がホーム端末からサーバーに対して実施する。撮影依頼情報は、撮影依頼者１が撮影者２に開示する情報であり、個人情報と、撮影条件情報と、公開情報と、報酬情報と、撮影意図情報とを含む。個人情報は、上述した個人ユーザ登録時の個人情報と同じである。撮影条件情報には、撮影依頼の有効期限（日時、期間）、および撮影位置（撮影依頼エリア）が含まれる。公開情報および報酬情報は、上述した映像付加情報に含まれる情報と同じである。撮影意図情報には、被写体、撮影アングル、構図、撮影量（枚数、時間など）、連写の有無などが含まれる。
サーバーに登録された撮影依頼情報は、サーバーがその公開情報にしたがって公開する。公開の範囲は、公開情報の中の公開先の範囲によって制限される。公開後の撮影依頼情報は、撮影条件情報に含まれる撮影依頼の有効期限が満了すると、サーバーにより削除あるいは非公開にされる。撮影依頼者１は、ホーム端末からサーバーに対して登録した撮影依頼情報の内容を変更することができる。
図６のステップＳ１２において、撮影者２はサービス事業者３のサーバーにアクセスし、撮影受付情報を登録する。撮影者２がサービス事業者３のサーバーに登録する撮影受付情報は、撮影者２が撮影依頼者１に開示する情報であり、個人情報と、撮影条件情報と、公開情報と、報酬情報と、撮影履歴情報とを含む。個人情報は、上述した個人ユーザ登録時の個人情報と同じである。撮影条件情報には、撮影依頼の受付け有効期限（日時、期間）、および撮影位置（撮影可能エリア）が含まれる。公開情報および報酬情報は、上述した映像付加情報に含まれる情報と同じである。撮影履歴情報には、過去の撮影依頼の受付実績、およびその依頼者による撮影映像に対する評価が含まれる。
サーバーに登録された撮影受付情報は、サーバーがその公開情報にしたがって公開する。公開先の範囲は、公開情報の中の公開先の範囲によって制限される。公開後の撮影受付情報は、撮影条件情報に含まれる撮影依頼の受付有効期限が満了すると、サーバーにより削除あるいは非公開にされる。撮影者２は、登録した撮影受付情報の内容を変更することができる。
ステップＳ１３において、撮影者２はサービス事業者３のサーバーにアクセスして撮影依頼者検索を行う。サーバーは、登録されている撮影依頼情報の中から撮影受付情報の条件を満足する撮影依頼情報を検索し、該当する撮影依頼者一覧を端末に送る。撮影者２は端末に送られた撮影依頼者一覧によって撮影依頼者の検索を行う。この場合の検索画面は上述した図５と同様の画面であるので、説明を省略する。
撮影依頼者１の決定は、撮影者２が端末を操作して希望する撮影依頼者１を決定する手動決定と、サーバー側で条件を満たす撮影依頼者１を自動的に決定する自動決定とがある。どちらの決定処理を行うかは、端末側で選ぶことができる。手動決定する場合、撮影者２は、端末に送られた撮影依頼者一覧から撮影依頼者１を決定する。自動決定の場合、決定された撮影依頼者１を紹介する不図示の画面が端末に表示される。なお、撮影依頼者１を複数選んで決定してもよい。
自動決定は、たとえば撮影依頼者１が依頼情報として発信した撮影希望地と、撮影者２が受付情報として発信した撮影可能地とを比較すればよい。すなわち、撮影可能地に合致する撮影希望地を検索し、その情報を依頼者１に送信し、依頼者１が発信した依頼指示を撮影者２に転送すればよい。
決定された撮影依頼者１への通知は、次のいずれかの方法により実施される。どの方法によるかは、たとえば、撮影依頼者１がサービス事業者３に登録する撮影依頼情報に含めておく。
（１）サービス事業者３が撮影依頼者１にメール通知（ｅ−ｍａｉｌ，ポケベル等）する。
（２）サービス事業者３が撮影者２と撮影依頼者１との間の電話を繋げる。
（３）サービス事業者３が撮影依頼者１へチャット（文字によるリアルタイム会話）により通知する。撮影依頼者１は、サービス事業者３から通知を受けると、次のいずれかの方法により応答する。
（１）撮影依頼者１がサービス事業者３にメールを返信（ｅ−ｍａｉｌ，ポケベル等）する。
（２）撮影依頼者１がサービス事業者３によって繋げられた電話で応答する。
（３）撮影依頼者１がサービス事業者３にチャットにより応答する。
サービス事業者３が撮影依頼者１に送る通知に対して、撮影依頼者１が応答することにより、撮影者２および撮影依頼者１間の契約が行われる。なお、上記（１）〜（３）による契約プロセスを省略するようにしてもよい。
図６のステップＳ１４において、撮影者２が撮影依頼情報にしたがって撮影を行う。撮影者２は、端末からサービス事業者３のサーバーにアクセスして撮影依頼者１による撮影依頼情報を確認する。撮影依頼者１は、撮影者２に対して試し撮り（プレビュー映像）を要求することができる。一方、撮影者２は、撮影依頼者１に対して試し撮り映像（プレビュー映像）を送ることができる。撮影意図は、撮影依頼情報により伝えられる他、撮影者２と撮影依頼者１との間で電話によって言葉で伝えてもよい。プレビュー映像を見て撮影意図を伝えると、たとえば、「もっと右」というように、より具体的な撮影指示をすることができる。
撮影者２によって端末を構成する電子カメラ２１で撮影するシャッタータイミングは、撮影者２がレリーズ操作を行う他、撮影依頼者１がホーム端末から通信網４を介して電子カメラ２１に対するシャッター制御信号を送ってもよい。
図６のステップＳ１５において、撮影者２は、端末からサービス事業者３のサーバーにアクセスして撮影した映像を登録する。このとき、映像データもサーバーに記録する。サービス事業者３は、撮影依頼情報の条件を満足する映像が登録されたことを知らせる通知と合わせて、当該映像データが格納されたＵＲＬ（Ｕｎｉｆｏｒｍ  Ｒｅｓｏｕｒｃｅ  Ｌｏｃａｔｏｒ）を撮影依頼者１に通知する。通知の方法は、ｅ−ｍａｉｌ、ポケベル、チャット、音声通話のいずれかの方法による。どの方法を用いて通知するかは、たとえば、撮影依頼者１がサービス事業者３に登録する撮影依頼情報に含めておく。ステップＳ１６において、撮影依頼者１は、通知されたＵＲＬで示される格納場所（サービス事業者３側）から撮影依頼情報の条件を満たす映像をダウンロードする。これにより、撮影依頼者１は、依頼した映像を受け取ることができる。
映像の受け渡しは、ステップＳ１６ａのように、撮影依頼者１が映像データを撮影者２の端末からダウンロードする方法、およびステップＳ１６ｂのように、撮影者２が撮影依頼者１に直接送信する方法により行ってもよい。これらは、それぞれ第一の実施の形態によるステップＳ６ａ、およびステップＳ６ｂによる映像の受け渡しと同じであるので説明を省略する。
以上説明した第二の実施の形態によれば、撮影依頼者１は、ホーム端末からサービス事業者３のサーバーにアクセスして撮影依頼情報を公開し、撮影者２は、端末からサービス事業者３のサーバーにアクセスして撮影受付情報を公開する。したがって、撮影依頼者１は、希望する映像を友人や知人でない第三者に対して広く募ることができる。一方、撮影者２は、公開された撮影依頼情報を検索して撮影依頼者１を決定することができるので、引き受ける撮影の仕事を選ぶことができる。
以上説明した予約型映像仲介サービスは、固定のカメラと異なり撮影アングルに制約がなく自由に選べる。よって交通の流れがわかる所定の時刻の映像を求める場合、観光地（施設）の混雑状況がわかる所定の時刻の映像を求める場合、積雪状況がわかる所定の時刻の映像を求める場合、波の状況がわかる所定の時刻の映像を求める場合、天候がわかる所定の時刻の映像を求める場合、動物の生態調査用の映像を求める場合などに利用することができる。さらに、撮影依頼者１が希望する位置に到達した撮影者２によって得られた映像が撮影依頼者１に提供されるので、たとえば、ラリーの通過ポイントの証明、オリエンテーリングの通過ポイントの証明などに利用できる。この場合には、レースの参加者が撮影者に、レースの主催者が撮影依頼者に相当する。
第二の実施の形態による映像仲介サービスにおいても、撮影依頼者１に提供される映像に広告を付与することができる。映像に広告を付与するタイミングは次のように行う。上述したステップＳ１６によって撮影依頼者１が映像を受け取る場合は、サービス事業者３が映像に広告を付与する。また、上述したステップＳ１６ａおよびステップＳ１６ｂによって撮影依頼者１が映像を受け取る場合は、撮影者２が映像に広告を付与する。付与する広告は、予めサービス事業者３から受け取っておいた広告を付与してもよいし、撮影者２自身の広告を付与してもよい。サービス事業者３が映像データに広告を追加する場合は、サーバーが広告を追加する。撮影者２が映像データに広告を追加する場合は、端末の電子カメラ２１が広告を追加する。
−第三の実施の形態−
第三の実施の形態による映像仲介サービスは、撮影依頼者が訪れている場所で過去に撮影された映像を、当該映像の撮影者から撮影依頼者に提供する過去型映像仲介サービスである。図７は、過去型映像仲介サービスの概要を説明する図である。図７において、撮影依頼者１ａと撮影者２ａとの間にサービス事業者３が介在する。図８は、図７のサービスを提供するシステムの全体構成図である。図８において、撮影依頼者１ａは、少なくとも携帯電話機１２と、ＧＰＳ装置１３とを備える端末を有する。撮影依頼者１ａの端末に電子カメラの機能が備えられていてもよい。撮影依頼者１ａは、携帯電話機１２により通信網４に接続し、通信網４を介してサービス事業者３にアクセスする。撮影者２ａは、通信網４に接続可能なパソコンなどで構成される端末を有する。ここでは、撮影者２ａの端末を撮影依頼者１ａの端末と区別するために便宜上ホーム端末と呼ぶことにする。撮影者２ａは、ホーム端末を操作して通信網４に接続し、通信網４を介してサービス事業者３にアクセスする。サービス事業者３は、たとえば、通信網４に接続されるサーバーを有する。サービス事業者３は、撮影依頼者１ａと撮影者２ａとの間で情報を仲介する。
過去型映像仲介サービスの手順は、
▲１▼撮影者２ａがある撮影位置で撮影する。
▲２▼撮影者２ａが撮影した映像を撮影位置情報とともに登録する。
▲３▼撮影依頼者１ａが自己の位置情報と一致する映像を決定する。
▲４▼撮影依頼者１ａおよび撮影者２ａ間で契約する。
▲５▼映像を撮影者２ａから撮影依頼者１ａに受け渡す。
により行われる。なお、第一の実施の形態と同様に、サービスに先立ち、サービス利用者はサービス利用準備としてユーザ登録を行うものとする。
以下、図７を参照して過去型映像仲介サービスの具体的手順について説明する。図７のステップＳ２１において、撮影者２ａがサービス事業者３のサーバーにアクセスして映像を登録する。登録は、撮影者２ａがホーム端末からサーバーに対して実施する。このとき、当該映像を撮影したときの位置情報を含む撮影受付情報も合わせて登録する。撮影受付情報は、撮影者２ａが撮影依頼者１ａに開示する情報であり、個人情報と、撮影条件情報と、公開情報と、報酬情報と、撮影履歴情報とを含む。各情報の内容は上述した第一の実施の形態と同じである。サーバーに登録された撮影受付情報は、サーバーがその公開情報にしたがって公開する。公開先の範囲は、公開情報の中の公開先の範囲によって制限される。公開後の撮影受付情報は、撮影条件情報に含まれる撮影依頼の受付有効期限が満了すると、サーバーにより削除あるいは非公開にされる。
図７のステップＳ２２において、撮影依頼者１ａがサービス事業者３のサーバーにアクセスして映像検索を行う。検索は、撮影依頼者１ａが端末からサーバーに対して実施する。撮影依頼者１ａは、端末から後述する撮影依頼情報をサーバーに送る。サーバーは、登録されている撮影受付情報の中から撮影依頼情報の条件を満足する撮影受付情報を検索し、該当する撮影者一覧を端末に送る。
撮影依頼情報は、撮影依頼者１ａがサービス事業者３に開示する情報であり、個人情報と、撮影条件情報と、公開情報と、報酬情報と、撮影意図情報とを含む。個人情報は、上述した個人ユーザ登録時の個人情報と同じである。撮影条件情報には、撮影依頼の有効期限（日時、期間）、および撮影位置が含まれる。この撮影位置は、撮影依頼者１ａが有する端末のＧＰＳ装置１３によって得られる位置情報が用いられる。ここで、ＧＰＳ装置１３は、少なくとも撮影依頼情報が公開されている間は常に位置情報を生成するように構成されている。このため、撮影依頼者１ａが移動すると、端末からサーバーへ位置情報が伝えられ、所定の更新タイミングで撮影位置の情報が更新される。公開情報および報酬情報は、上述した映像付加情報に含まれる情報と同じである。撮影意図情報には、被写体、撮影アングル、構図、撮影量（枚数、時間など）、連写の有無などが含まれる。
撮影者２ａおよび映像の決定は、撮影依頼者１ａが端末を操作して希望する撮影者２ａおよび映像を決定する手動決定と、サーバー側で条件を満たす撮影者２ａおよび映像を自動的に決定する自動決定とがある。どちらの決定処理を行うかは、端末側で選ぶことができる。手動決定する場合、撮影依頼者１ａは、端末に送られた撮影者一覧から撮影者２ａおよび映像を決定する。自動決定の場合、決定された撮影者２ａおよび映像を紹介する不図示の画面が、端末のディスプレイに表示される。
自動決定は、たとえば撮影依頼者１が依頼情報として発信した撮影希望地と、撮影者２ａが予め登録した画像データの撮影位置とを比較すればよい。すなわち、撮影希望地に合致する撮影位置データを有する画像データを検索し、その情報を依頼者１に送信し、依頼者１が発信した購入指示により、画像データを依頼者１へ配信する。
図９は、端末の画面に表示される映像一覧表示例を示す図である。画面９１に示す一覧表示（複数）と、画面９２に示す１枚表示（１枚）とを切換えることができる。いずれの表示を行うかは、端末のキー操作によって撮影依頼者１ａが選ぶことができる。画面９１の一覧表示において、撮影依頼者１ａが不図示のポインティングデバイスを用いて画面９１上で希望する映像（１）を指定すると、画面９２に示される１枚表示に切換えられる。画面９１および画面９２において、映像一覧表示は、映像素材と、当該映像の映像付加情報とで構成される。映像素材は、実際の映像（オリジナル素材）の一部を表示するように間引き処理された間引き映像である。また、映像付加情報も、情報の全てでなく一部が表示されるように制限されている。
撮影依頼者１ａがどの映像素材を希望するかをサーバーに応答することにより、撮影者２ａおよび撮影依頼者１ａ間の契約が行われる。サービス事業者３のサーバーは、当該映像データが格納されているＵＲＬを撮影依頼者１ａに通知する。通知の方法は、ｅ−ｍａｉｌ、ポケベル、チャット、音声通話のいずれかの方法による。どの方法を用いて通知するかは、たとえば、撮影依頼者１ａがサービス事業者３に登録する撮影依頼情報に含めておく。なお、映像素材、すなわち撮影者２ａを複数選んで決定してもよい。
図７のステップＳ２３において、撮影依頼者１ａは、通知されたＵＲＬで示される格納場所（サービス事業者３側）から撮影依頼情報の条件を満たす映像をダウンロードする。これにより、撮影依頼者１ａは、依頼した映像を受け取ることができる。図９の画面９３は、受け取った映像のオリジナル表示の例である。この場合の映像素材（１）は、間引き処理なしのオリジナル映像である。また、映像付加情報は、制限されてない全ての情報である。
なお、映像の受け渡しは、ステップＳ２３ａのように、撮影依頼者１ａが映像データを撮影者２ａのホーム端末からダウンロードする方法により行ってもよい。この場合には、撮影者２ａがサービス事業者３のサーバーに映像を登録する際、当該映像の撮影位置を含む撮影受付情報のみを登録し、映像データは撮影者２ａのホーム端末に記録しておく。
以上説明した第三の実施の形態によれば、撮影者２ａは、ある撮影位置で撮影した映像を、当該映像の撮影位置を含む撮影受付情報とともにサービス事業者３のサーバーに登録する。撮影依頼者１ａは、端末からサービス事業者３のサーバーにアクセスして自己の現在の位置情報を含む撮影依頼情報を公開する。サービス事業者３は、撮影依頼情報の条件を満足する映像が登録されているかを検索し、検索の結果、条件を満たす映像データのＵＲＬを撮影依頼者１ａに通知する。したがって、撮影依頼者１ａは、今いる場所で過去に撮影された映像を得ることができる。
以上説明した過去型映像仲介サービスは、撮影依頼者が訪れている場所において過去、たとえば、別の時刻、別の季節、周囲の風景が変わる前などに撮影された映像を求める場合や、別のカメラで撮影された映像を求める場合などに利用することができる。また、このサービスを利用することにより、撮影依頼者１ａが撮影依頼情報を公開した時点で、撮影依頼者１ａがその場所にいたことをＧＰＳ装置１３による位置情報を用いて証明できる。さらに、サービスを利用した撮影者２ａと撮影依頼者１ａとが、同じ場所を訪れた者同士として共通の話題を有するので、サービス利用者にコミュニケーションの場を与えることができる。
第三の実施の形態による映像仲介サービスにおいても、撮影依頼者１ａに提供される映像に広告を付与することができる。映像に広告を付与するタイミングは次のように行う。上述したステップＳ２３によって撮影依頼者１ａが映像を受け取る場合は、サービス事業者３が映像に広告を付与する。また、上述したステップＳ２３ａによって撮影依頼者１ａが映像を受け取る場合は、撮影者２ａが映像に広告を付与する。付与する広告は、予めサービス事業者３から受け取っておいた広告を付与してもよいし、撮影者２ａ自身の広告を付与してもよい。サービス事業者３が映像データに広告を追加する場合は、サーバーが広告を追加する。撮影者２ａが映像データに広告を追加する場合は、ホーム端末が広告を追加する。
上述した第一の実施の形態〜第三の実施の形態のそれぞれの形態では、撮影者と撮影依頼者との関係はお互いに見知らぬ第３者の関係であることが多い。このような場合、サービス事業者が仲介することでお互いの匿名性を保つことができる。
撮影者の位置情報を生成したり、撮影依頼者の位置情報を生成するＧＰＳ装置の代わりに、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）方式のような携帯電話機、あるいは位置情報が得られるＰＨＳ端末を用いるようにしてもよい。
また、以上説明した位置情報には、方位を示す情報や仰角を示す情報も含まれる。したがって、カメラを構える方位、および撮影アングルを位置情報から知ることができる。方位の情報は、たとえば、端末に備えられる方位センサから、仰角を示す情報は、たとえば、端末に備えられる姿勢センサから得ることができる。
上述した端末の例として、電子カメラ、携帯電話機、携帯型情報端末（ＰＤＡ）、ゲーム用ステーション、ゲーム用端末などを用いることができる。つまり、少なくとも映像撮影機能と通信機能と位置情報生成機能とを備えるものであればよい。
上述したホーム端末の例として、上記端末の例に加えて、パソコン、Ｌモード対応電話機、セット・トップ・ボックス（ＳＴＢ）などを用いることができる。
また、サーバーと端末とホーム端末の各々は、上述したように３つに独立させずに、サーバーと端末、あるいはサーバーとホーム端末とをそれぞれ統合させてもよい。
以上の説明では、端末、サーバー、およびホーム端末について説明したが、上記各機器による映像仲介サービス用プログラムを用意し、このプログラムを電子カメラ、パソコンなどに取込んで映像仲介サービス用機器として使用することができる。この場合には、電子カメラ、サーバー、パソコンなどにそれぞれプログラムをローディングした上で実行させることにより、端末、サーバー、およびホーム端末として使用することができる。
第１の実施例（速報型）におけるデジタルデータの仲介サービス用プログラムは、サービス事業者３のサーバーに格納されて少なくとも次の処理を実行するようにプログラミングされる。
デジタルデータ作成者の位置情報を含めて作成者から発信される受付情報を受発信する第１の受発信処理と、
依頼者が希望するデジタルデータの作成条件を含めて依頼者から発信される依頼情報を受発信する第２の受発信処理と、
受付情報と依頼情報とを比較する比較処理と、
比較処理の結果、少なくとも位置情報が作成条件を満たす場合に作成者に対してデジタルデータの作成指示を受発信する第３の受発信処理と、
作成指示後に作成者によって作成されたデジタルデータを依頼者へ配信するために必要な情報を受発信する第４の受発信処理とを実行する。
第２の実施例（予約型）におけるデジタルデータの仲介サービス用プログラムは、サービス事業者３のサーバーに格納されて少なくとも次の処理を実行するようにプログラミングされる。
希望するデジタルデータの作成条件を含めて依頼者から発信される依頼情報を受発信する第１の受発信処理と、
作成者から発信される受付情報を受発信する第２の受発信処理と、
依頼情報と受付情報とを比較する比較処理と、
比較処理の結果、作成条件が受付情報を満たす場合に作成者に対してデジタルデータの作成指示を受発信する第３の受発信処理と、
作成指示後に作成者によって作成されたデジタルデータを依頼者へ配信するために必要な情報を受発信する第４の受発信処理とを実行する。
第３の実施例（過去型）におけるデジタルデータの仲介サービス用プログラムは、サービス事業者３のサーバーに格納されて少なくとも次の処理を実行するようにプログラミングされる。
デジタルデータ作成者から発信される当該デジタルデータの作成地情報を受発信する第１の受発信処理と、
依頼者の現在地情報を含めて依頼者から発信される依頼情報を受発信する第２の受発信処理と、
作成地情報と現在地情報とを比較する比較処理と、
比較処理の結果、少なくとも現在地情報と共通の位置である作成地情報を満たすデジタルデータを依頼者へ配信するために必要な情報を受発信する第３の受発信処理とを実行する。第１の受発信処理は、デジタルデータの作成地情報とともに当該デジタルデータを受発信する。
現在のデジタルデータ（画像データなど）や将来作成されるデジタルデータを撮影者と依頼者との間で仲介する本発明は、デジタルデータ作成者（撮影者など）から発信される受付情報を取得し、デジタルデータ依頼者から発信される依頼情報を取得し、受付情報と依頼情報とに基づいて決定された作成者に対してデジタルデータの作成指示を送信し、作成指示後に作成者によって作成されたデジタルデータを依頼者に配信するものである。したがって、本発明はこのようなものであれば、上述した実施例にまったく限定されることはない。
本発明は、デジタルデータ作成者の現在位置を取得し、デジタルデータ作成依頼者の要求位置を取得し、取得された現在位置と要求位置とを比較し、要求位置を満たす現在位置のデジタルデータ作成者に作成許可を指示するものである。したがって、本発明はこのようなものであれば、上述した実施例にまったく限定されることはない。
過去に作成したデジタルデータを作成者と依頼者との間で仲介する本発明は、デジタルデータ作成者から発信された当該デジタルデータの作成地に関する作成地情報を取得し、依頼者から発信された依頼者の現在位置に関する現在地情報を含むデジタルデータ作成依頼情報を取得し、作成地情報と現在地情報とを比較し、比較の結果、現在地情報と共通の位置である作成地情報を満たすデジタルデータを依頼者へ配信するものである。したがって、本発明はこのようなものであれば、上述した実施例にまったく限定されることはない。
産業上の利用可能性
以上の説明では、映像を扱うサービスを例に上げて説明したが、映像データの代わりに、ビデオカメラや録音装置で録音された音声データ、ワードプロセッサなどの文書作成装置で作成されたテキストデータにも本発明を適用することができる。すなわち、映像データに限らず、音声形式のデータ、テキスト形式のデータなど他のデジタルデータを扱うサービスにも本発明を適用することができる。音声形式のデータは、たとえば、瀧の音のようにその場所でしか得られないデータである。テキスト形式のデータは、たとえば、その場所で配布されているちらしなどの印刷物、その場所が舞台となった小説などである。
【図面の簡単な説明】
図１は、速報型映像仲介サービスの概要を説明する図である。
図２は、図１のサービスを提供するシステムの全体構成図である。
図３は、サービス事業者のサーバーの構成を説明する図である。
図４は、撮影者の端末の構成を説明する図である
図５は、ホーム端末のディスプレイに表示される検索画面例を示す図である。
図６は、予約型映像仲介サービスの概要を説明する図である。
図７は、過去型映像仲介サービスの概要を説明する図である。
図８は、図７のサービスを提供するシステムの全体構成図である。
図９は、端末の画面に表示される映像一覧表示例を示す図である。
【図１】
0004239591.tif 000002
【図２】
0004239591.tif 000003
【図３】
0004239591.tif 000004
【図４】
0004239591.tif 000005
【図５】
0004239591.tif 000006
【図６】
0004239591.tif 000007
【図７】
0004239591.tif 000008
【図８】
0004239591.tif 000009
【図９】
0004239591.tif 000010